(57)【要約】      （修正有）【課題】ピニオンシャフト先端でのピニオンシャフト同士の接触面積を大きくすることで、摩擦抵抗を大きくし、ピニオンシャフト先端での位置決め力が、従来よりも強いデファレンシャル装置を提供する。【解決手段】デフケース２内に配置される複数のピニオンシャフト３ａ，３ｂ，３ｃ，３ｄの先端が、デフケース２の回転軸Ｘと対向して組み付られるデファレンシャル装置１において、複数のピニオンシャフトの軸線方向中央部が略円柱形状に形成される一方、ピニオンシャフトの先端が先細り状に切り欠かれた２つの傾斜面８ａ，８ｂ，８ｃ，８ｄ，８ｅ，８ｆ，８ｇ，８ｈを有し、隣り合うピニオンシャフトの傾斜面を互いに当接させて、該複数のピニオンシャフトを円周方向に組み付けてピニオンシャフト組立体７を形成する。【選択図】図１
2007205420.tif 000002
【特許請求の範囲】
【請求項１】
デフケース（２）内に配置される複数のピニオンシャフト（３ａ，３ｂ，３ｃ，３ｄ）の先端が、デフケース（２）の回転軸（Ｘ）と対向して組み付られるデファレンシャル装置（１）において、
前記複数のピニオンシャフト（３ａ，３ｂ，３ｃ，３ｄ）は、ピニオンシャフト（３ａ，３ｂ，３ｃ，３ｄ）の軸線方向中央部が略円柱形状に形成される一方、ピニオンシャフト（３ａ，３ｂ，３ｃ，３ｄ）の先端が先細り状に切り欠かれた２つの傾斜面（８ａ，８ｂ，８ｃ，８ｄ，８ｅ，８ｆ，８ｇ，８ｈ）を有し、
隣り合うピニオンシャフト（３ａ，３ｂ，３ｃ，３ｄ）の傾斜面（８ａ，８ｂ，８ｃ，８ｄ，８ｅ，８ｆ，８ｇ，８ｈ）を互いに当接させて、該複数のピニオンシャフト（３ａ，３ｂ，３ｃ，３ｄ）を円周方向に組み付けてピニオンシャフト組立体（７）を形成することを特徴とするデファレンシャル装置。
【請求項２】
前記複数のピニオンシャフト（３ａ，３ｂ，３ｃ，３ｄ）の各々傾斜面（８ａ，８ｂ，８ｃ，８ｄ，８ｅ，８ｆ，８ｇ，８ｈ）は、各々ピニオンシャフト（３ａ，３ｂ，３ｃ，３ｄ）の軸線（Ｐ１，Ｐ２，Ｐ３，Ｐ４）を中心に（３６０÷複数のピニオンシャフトの数÷２）で計算される角度に傾斜していることを特徴とする請求項１に記載のデファレンシャル装置。
【請求項３】
前記複数のピニオンシャフト（３ａ，３ｂ，３ｃ，３ｄ）の先端に凹部（９ａ，９ｂ，９ｃ，９ｄ）を形成すると共に、
円周方向に組み付けた複数のピニオンシャフト（３ａ，３ｂ，３ｃ，３ｄ）の凹部（９ａ，９ｂ，９ｃ，９ｄ）により形成される周状の凹連結部（９）に環状又は板状の位置決め部材（４）を嵌合することを特徴とする請求項１又は２に記載のデファレンシャル装置。
【請求項４】
前記位置決め部材（４）は、前記ピニオンシャフト組立体（７）の内部に配置されていることを特徴とする請求項３に記載のデファレンシャル装置。
【請求項５】
前記位置決め部材（４）は、半径（ｒ）の円形であり、前記凹連結部（９）は、前記位置決め部材（４）以上の大きさであることを特徴とする請求項３又は４に記載のデファレンシャル装置。
【請求項６】
前記ピニオンシャフト（３ａ，３ｂ，３ｃ，３ｄ）の２つの傾斜面（８ａ，８ｂ，８ｃ，８ｄ，８ｅ，８ｆ，８ｇ，８ｈ）が交差するピニオンシャフト（３ａ，３ｂ，３ｃ，３ｄ）の先端が、切り欠かれた切り欠き面（１２ａ，１２ｂ，１２ｃ，１２ｄ）を有することを特徴とする請求項３乃至５の何れかに記載のデファレンシャル装置。
【発明の詳細な説明】
【技術分野】
【０００１】
本発明は、デフケース内に複数のピニオンシャフトを組み付けるデファレンシャル装置に関する。
【背景技術】
【０００２】
従来より、デファレンシャル装置は、３本のピニオンシャフトと、３本のピニオンシャフトに軸支されるピニオンギヤ、ピニオンギヤと歯合するサイドギヤ、デファレンシャル装置の中央でピニオンギヤを位置決めする貫通孔を有する環状カラーを備えている。３本のピニオンシャフトは、１本の長ピニオンシャフトと、長ピニオンシャフトより長さが１／２程度に短い２本の短ピニオンシャフトから構成されている。また、短ピニオンシャフトの先端は、短ピニオンシャフトの軸線方向に対し垂直な平面を有しており、この平面と接触する長ピニオンシャフトの中央部外周は円柱形状となっている。このため、短ピニオンシャフトと長ピニオンシャフトは、線接触となっていた。
【特許文献１】実公平３−２０３６号
【発明の開示】
【発明が解決しようとする課題】
【０００３】
しかし、ピニオンシャフト同士が線接触であるため、接触部分が小さく、ピニオンシャフト同士の先端側の位置決めが十分に行なえないという問題があった。
【０００４】
そこで、本発明は、上記事情により鑑みなされたもので、ピニオンシャフト同士の先端側の接触部分を大きくして、ピニオンシャフト同士の先端側の位置決めを従来よりも強く行なうことができるデファレンシャル装置を提供することを目的とする。
【課題を解決するための手段】
【０００５】
本発明のデファレンシャル装置は、デフケース内に配置される複数のピニオンシャフトの先端が、デフケースの回転軸と対向して組み付られるデファレンシャル装置において、複数のピニオンシャフトは、ピニオンシャフトの軸線方向中央部が略円柱形状に形成される一方、ピニオンシャフトの先端が先細り状に切り欠かれた２つの傾斜面を有し、隣り合うピニオンシャフトの傾斜面を互いに当接させて、複数のピニオンシャフトを円周方向に組み付けてピニオンシャフト組立体を形成することを第１の特徴とする。
【０００６】
本発明のデファレンシャル装置は、上記第１の特徴に加えて、複数のピニオンシャフトの各々傾斜面は、各々ピニオンシャフトの軸線を中心に（３６０÷複数のピニオンシャフトの数÷２）で計算される角度に傾斜していることを第２の特徴とする。
【０００７】
本発明のデファレンシャル装置は、上記第２の特徴に加えて、複数のピニオンシャフトの先端に凹部を形成すると共に、円周方向に組み付けた複数のピニオンシャフトの凹部により形成される周状の凹連結部に環状又は板状の位置決め部材を嵌合することを第３の特徴とする。
【０００８】
本発明のデファレンシャル装置は、上記第３の特徴に加えて、位置決め部材は、ピニオンシャフト組立体の内部に配置されていることを第４の特徴とする。
【０００９】
本発明のデファレンシャル装置は、上記第４の特徴に加えて、位置決め部材は、半径ｒの円形であり、凹連結部は、位置決め部材以上の大きさであることを第５の特徴とする。
【００１０】
本発明のデファレンシャル装置は、上記第５の特徴に加えて、ピニオンシャフトの２つの傾斜面が交差するピニオンシャフトの先端が、切り欠かれた切り欠き面を有することを第６の特徴とする。
【発明の効果】
【００１１】
本発明の第１の特徴のデファレンシャル装置によれば、デフケース内に配置される複数のピニオンシャフトの先端が、デフケースの回転軸と対向して組み付られるデファレンシャル装置において、複数のピニオンシャフトは、ピニオンシャフトの軸線方向中央部が略円柱形状に形成される一方、ピニオンシャフトの先端が先細り状に切り欠かれた２つの傾斜面を有し、隣り合うピニオンシャフトの傾斜面を互いに当接させて、該複数のピニオンシャフトを円周方向に組み付けてピニオンシャフト組立体を形成するため、ピニオンシャフト同士の先端側の接触部分が傾斜面で面接触となる。これにより、接触部分が大きくなり、ピニオンシャフト同士の先端側の位置決めを強く行なうことができる。
【００１２】
本発明の第２の特徴のデファレンシャル装置によれば、複数のピニオンシャフトの各々傾斜面は、各々ピニオンシャフトの軸線を中心に（３６０÷複数のピニオンシャフトの数÷２）で計算される角度に傾斜しているため、複数のピニオンシャフトの先端が同形状となり、量産が可能である。このため、複数のピニオンシャフトの先端加工のコストを削減することができる。
【００１３】
本発明の第３の特徴のデファレンシャル装置によれば、複数のピニオンシャフトの先端に凹部を形成すると共に、円周方向に組み付けた複数のピニオンシャフトの凹部により形成される周状の凹連結部に環状又は板状の位置決め部材を嵌合するため、複数のピニオンシャフト同士の先端側の位置決めが容易にできる。
【００１４】
本発明の第４の特徴のデファレンシャル装置によれば、位置決め部材は、ピニオンシャフト組立体の内部に配置されているため、位置決め部材をピニオンシャフトの先端内部に保持することができる。これにより、ピニオンシャフトに軸支されるピニオンギヤの耐久強度を上げるためピニオンギヤの全長を伸ばす場合に、ピニオンギヤの先端が位置決め部材に当接することがなく、ピニオンギヤの設計の自由度を広げることができる。
【００１５】
本発明の第５の特徴のデファレンシャル装置によれば、位置決め部材は、半径ｒの円形であり、凹連結部は、位置決め部材以上の大きさであるため、環状又は板状の位置決め部材はピニオンシャフトの凹部円周方向のどの位置でも嵌合可能である。よって、複数のピニオンシャフトと位置決め部材との嵌合が容易である。
【００１６】
本発明の第６の特徴のデファレンシャル装置によれば、ピニオンシャフトの２つの傾斜面が交差するピニオンシャフトの先端が、切り欠かれた切り欠き面を有するため、ピニオンシャフトの先端が尖ることがなく、デファレンシャル装置の組み付け作業者に対して安全を確保できる。また、複数のピニオンシャフトの円周方向への組み付けが終了した場合において、位置決め部材が嵌合されているか否かを、切り欠き面から確認することができる。
【発明を実施するための最良の形態】
【００１７】
図１及び図５は本発明の実施例を示すもので、図１は、デファレンシャル装置の部分断面正面図（図２のＡ−Ａ断面側面図）、図２は、デファレンシャル装置の断面側面図、図３は、デファレンシャル装置のピニオンシャフトをデフケースに挿入中である組み付け途中の図、図４の（Ａ）はピニオンシャフトの平面図、図４の（Ｂ）はピニオンシャフトの正面図、図４の（Ｃ）はピニオンシャフトの左側面図、図４の（Ｄ）はピニオンシャフトの右側面図、図５の（Ａ）は位置決め部材の平面図、図５の（Ｂ）は位置決め部材の正面図、図６の（Ａ）は第２の実施例の位置決め部材の平面図、図６の（Ｂ）は第２の実施例の位置決め部材の正面図、図７の（Ａ）は第３の実施例の位置決め部材の平面図、図７の（Ｂ）は第３の実施例の位置決め部材の正面図である。
【００１８】
まず、図１及び図２に基づいてデファレンシャル装置１を説明する。デファレンシャル装置１は、車軸方向に形成される第一ボス部１３及び第二ボス部１４を有し、図示しないデフキャリア内に回転自在に支持されるデフケース２と、デフケース２内に組み付けられデフケース２と一体に回転するピニオンシャフト３ａ，３ｂ，３ｃ，３ｄと、これら複数のピニオンシャフト３ａ，３ｂ，３ｃ，３ｄの先端を位置決めする位置決め部材４と、ピニオンシャフト３ａ，３ｂ，３ｃ，３ｄを略円柱形状のピニオンギヤ孔５ａ，５ｂ，５ｃ，５ｄに挿入することで回転自在に軸支される４個のピニオンギヤ６ａ，６ｂ，６ｃ，６ｄと、ピニオンシャフト３ａ，３ｂ，３ｃ，３ｄがデフケース２から抜けることを防止する固定ピン１５ａ，１５ｂ，１５ｃ，１５ｄと、複数のピニオンギヤ６ａ，６ｂ，６ｃ，６ｄと噛合する第一サイドギヤ１６ａと第二サイドギヤ１６ｂとを備える。デフケース２とピニオンギヤ６ａ，６ｂ，６ｃ，６ｄ間には、ピニオンシャフト３ａ，３ｂ，３ｃ，３ｄが挿入可能なスラストワッシャー孔１７ａ，１７ｂ，１７ｃ，１７ｄを設けたピニオンギヤ用スラストワッシャー１８ａ，１８ｂ，１８ｃ，１８ｄが配置され、デフケース２とサイドギヤ１６ａ，１６ｂ間は、図示しないドライブシャフトが挿入可能なスラストワッシャー孔１９ａ，１９ｂを設けたサイドギヤ用スラストワッシャー２０ａ，２０ｂが配置される。デフケース２は、第一デフケース２ａ及び第二デフケース２ｂから構成されており、図示しないボルトを図示しないリングギヤの固定孔、第一デフケース２ａの固定孔３０ａ及び第二デフケース２ｂの固定孔３０ｂに挿入固定することで、リングギヤ、第一デフケース２ａ及び第二デフケース２ｂが一体に組み付けられている。
【００１９】
続いてデフケース２の内部構造について詳述する。第一デフケース２ａと第二デフケース２ｂの内部には、図示しない２本のドライブシャフトに嵌合される第一サイドギヤ１６ａ及び第二サイドギヤ１６ｂと、第一サイドギヤ１６ａ及び第二サイドギヤ１６ｂと噛合する複数のピニオンギヤ６ａ，６ｂ，６ｃ，６ｄを備える。複数のピニオンギヤ６ａ，６ｂ，６ｃ，６ｄを回転可能に軸支する複数のピニオンシャフト３ａ，３ｂ，３ｃ，３ｄは、先端がデフケース２の回転軸Ｘと対向して組み付られている。複数のピニオンシャフト３ａ，３ｂ，３ｃ，３ｄは、円周方向に組み付けられることにより、ピニオンシャフト組立体７を形成している。第一デフケース２ａには、このピニオンシャフト３ａ，３ｂ，３ｃ，３ｄを第一デフケース２ａ内に挿入するデフケース孔２３ａ，２３ｂ，２３ｃ，２３ｄがデフケース回転軸Ｘと鉛直面上に第一デフケース２ａの周面に互いに９０°の間隔をおいて４箇所形成されている。
【００２０】
続いてピニオンシャフト組立体７について詳述する。図３に示すように複数のピニオンシャフト３ａ，３ｂ，３ｃ，３ｄは、その先端が先細り状になるように切り欠かれた２つの傾斜面８ａ，８ｂ，８ｃ，８ｄ，８ｅ，８ｆ，８ｇ，８ｈを有している。そして、隣り合うピニオンシャフト３ａ，３ｂ，３ｃ，３ｄのピニオンシャフト３ａ，３ｂ，３ｃ，３ｄに形成された傾斜面８ａ，８ｂ，８ｃ，８ｄ，８ｅ，８ｆ，８ｇ，８ｈを互いに当接させることにより、円周方向に組み付けられている。ピニオンシャフト３ａ，３ｂ，３ｃ，３ｄの先端には、凹部９ａ，９ｂ，９ｃ，９ｄが形成されており、円周方向に組み付けたピニオンシャフト３ａ，３ｂ，３ｃ，３ｄの先端には、周状の凹連結部９が形成される。この凹連結部９に位置決め部材４が嵌合されることで、ピニオンシャフト組立体７となる。尚、ピニオンシャフト組立体７を形成するピニオンシャフト３ａ，３ｂ，３ｃ，３ｄの後端は、第一デフケース２ａの４個のデフケース孔２３ａ，２３ｂ，２３ｃ，２３ｄに挿入されており、固定ピン１５ａ，１５ｂ，１５ｃ，１５ｄを第一デフケース２ａの固定ピン挿入孔２５ａ，２５ｂ，２５ｃ，２５ｄと、ピニオンシャフト３ａ，３ｂ，３ｃ，３ｄの後端に形成された固定ピン挿入孔１１ａ，１１ｂ，１１ｃ，１１ｄに挿入することで、４本のピニオンシャフト３ａ，３ｂ，３ｃ，３ｄが第一デフケース２ａから抜け落ちることを防止している。
【００２１】
続いて、ピニオンシャフト組立体７を形成する複数のピニオンシャフト３ａ，３ｂ，３ｃ，３ｄについて説明する。本実施例では、複数のピニオンシャフト３ａ，３ｂ，３ｃ，３ｄは、全て同形状に形成されている。図４に示すようにピニオンシャフト３ａ，３ｂ，３ｃ，３ｄは、各々先端が先細り状になるようにピニオンシャフト３ａ，３ｂ，３ｃ，３ｄの軸線Ｐ１，Ｐ２，Ｐ３，Ｐ４を中心に（３６０÷複数のピニオンシャフトの数÷２）で計算される角度に切り欠かれた傾斜面８ａ，８ｂ，８ｃ，８ｄ，８ｅ，８ｆ，８ｇ，８ｈを２つ有している。この実施例では、ピニオンシャフト３ａ，３ｂ，３ｃ，３ｄは４本のため、３６０÷４÷２＝４５となる。すなわち、ピニオンシャフトの軸線Ｐ１，Ｐ２，Ｐ３，Ｐ４を中心に４５度に切り欠かれた傾斜面８ａ，８ｂ，８ｃ，８ｄ，８ｅ，８ｆ，８ｇ，８ｈが、各々ピニオンシャフト３ａ，３ｂ，３ｃ，３ｄの軸線Ｐ１，Ｐ２，Ｐ３，Ｐ４を対称に２つ形成されている。また、ピニオンシャフト３ａ，３ｂ，３ｃ，３ｄの２つの傾斜面８ａ，８ｂ，８ｃ，８ｄ，８ｅ，８ｆ，８ｇ，８ｈが交差するピニオンシャフト３ａ，３ｂ，３ｃ，３ｄの最先端は、切り欠かれた切り欠き面１２ａ，１２ｂ，１２ｃ，１２ｄを有する。
【００２２】
ピニオンギヤ６ａ，６ｂ，６ｃ，６ｄが軸支されているピニオンシャフト３ａ，３ｂ，３ｃ，３ｄの軸線方向中央部には、ピニオンギヤ６ａ，６ｂ，６ｃ，６ｄが回転可能なように略円柱形状に形成されている。この軸線方向中央部には、ピニオンギヤ６ａ，６ｂ，６ｃ，６ｄの回転によるピニオンギヤ孔５ａ，５ｂ，５ｃ，５ｄ及びピニオンシャフト外周面の焼き付きを防ぐため、デフケース２内を潤滑する図示しない潤滑剤を取り入れる潤滑剤取り入れ平面１０ａ，１０ｂ，１０ｃ，１０ｄ，１０ｅ，１０ｆ，１０ｇ，１０ｈが形成されている。また、ピニオンシャフト３ａ，３ｂ，３ｃ，３ｄの後端には、固定ピン１５ａ，１５ｂ，１５ｃ，１５ｄが挿入される固定ピン孔１１ａ，１１ｂ，１１ｃ，１１ｄが形成されている。
【００２３】
複数のピニオンシャフト３ａ，３ｂ，３ｃ，３ｄの先端には、凹部９ａ，９ｂ，９ｃ，９ｄを有する。凹部９ａ，９ｂ，９ｃ，９ｄの底部１３ａ，１３ｂ，１３ｃ，１３ｄが連結された周状の凹連結部９は、２つの傾斜面８ａ，８ｂ，８ｃ，８ｄ，８ｅ，８ｆ，８ｇ，８ｈの交線Ｋ１，Ｋ２，Ｋ３，Ｋ４を中心とした半径Ｒの正方形状に形成されている。
【００２４】
続いて、周状の凹連結部９に嵌合される位置決め部材４について図５に基づいて説明する。位置決め部材４は、半径ｒの円形状に形成されている。そして、半径Ｒは、半径ｒよりも大きい値に設定されている。尚、位置決め部材４の半径ｒは、ピニオンシャフト組立体７の内部に配置されるように数値が設定されている。また、位置決め部材４の板厚は、凹部９ａ，９ｂ，９ｃ，９ｄの幅ｔよりわずかに薄い板部材を用いている。
【００２５】
次にデフケース２にピニオンシャフト３ａ，３ｂ，３ｃ，３ｄ、位置決め部材４、ピニオンギヤ６ａ，６ｂ，６ｃ，６ｄ及び第一サイドギヤ１６ａ、第二サイドギヤ１６ｂ等を組み付ける組み付け方法について説明する。
【００２６】
最初に第一デフケース２ａにサイドギヤ用スラストワッシャー２０ａを嵌合した第一サイドギヤ１６ａを第一サイドギヤ１６ａの歯形がデフケース中央Ｙを向くようにデフケースの回転軸Ｘ上に載置する。
【００２７】
次にピニオンギヤ用スラストワッシャー１８ａ，１８ｂ，１８ｃ，１８ｄをピニオンギヤ６ａ，６ｂ，６ｃ，６ｄの各々球座面に取り付け、ピニオンギヤ用スラストワッシャー１８ａ，１８ｂ，１８ｃ，１８ｄが各々取り付けられた４個のピニオンギヤ６ａ，６ｂ，６ｃ，６ｄを第一サイドギヤ１６ａの上に各ピニオンギヤ６ａ，６ｂ，６ｃ，６ｄの歯形がデフケースの回転軸Ｘを向き、デフケース回転軸Ｘを中心に互いに９０°の間隔をおいて載置する。この時、対角に設けられた２個のピニオンギヤ６ａ，６ｃのピニオンギヤ孔５ａ，５ｃと第一デフケース２ａに設けられたデフケース孔２３ａ，２３ｃとが同一直線上になるようにする。また、他の対角に設けられた２個のピニオンギヤ６ｂ，６ｄのピニオンギヤ孔５ｂ，５ｄと第一デフケース２ａの対角に設けられた２個のデフケース孔２３ｂ，２３ｄについても同一直線上になるようにする。
【００２８】
そして、ピニオンシャフト３ａを、その先端からデフケース孔２３ａ、ピニオンギヤ用スラストワッシャー１８ａに形成されたスラストワッシャー孔１７ａ、ピニオンギヤ６ａに形成されたピニオンギヤ孔５ａを貫通してデフケース２の回転軸Ｘ方向に挿入し、その後、ピニオンシャフト３ａの先端に形成されている凹部９ａに位置決め部材４を嵌合する。次に、ピニオンシャフト３ｃを、その先端からデフケース孔２３ｃ、ピニオンギヤ用スラストワッシャー１８ｃに形成されたスラストワッシャー孔１７ｃ、ピニオンギヤ６ｃに形成されたピニオンギヤ孔５ｃを貫通してデフケース２の回転軸Ｘ方向に挿入し、ピニオンシャフト３ａの先端に形成されている凹部９ａに位置決め部材４を嵌合する。同様に、ピニオンシャフト３ｂを、その先端からデフケース孔２３ｂ、ピニオンギヤ用スラストワッシャー１８ｂに形成されたスラストワッシャー孔１７ｂ、ピニオンギヤ６ｂに形成されたピニオンギヤ孔５ｂを貫通してデフケース２の回転軸Ｘ方向に挿入し、ピニオンシャフト３ｂの先端に形成されている凹部９ｂに位置決め部材４を嵌合する。この時、隣り合うピニオンシャフト３ａ，３ｂ，３ｃの傾斜面８ｂ，８ｃ，８ｄ，８ｅは互いに当接する。最後に、ピニオンシャフト３ｄを、その先端からデフケース孔２３ｄ、ピニオンギヤ用スラストワッシャー１８ｄに形成されたスラストワッシャー孔１７ｄ、ピニオンギヤ６ｄに形成されたピニオンギヤ孔５ｄを貫通してデフケース２の回転軸Ｘ方向に挿入し、ピニオンシャフト３ｄの先端に形成されている凹部９ｄに位置決め部材４を嵌合する。この時、隣り合うピニオンシャフト３ｃ，３ｄ，３ｅの傾斜面８ｆ，８ｇ，８ｈ，８ａは互いに当接し、円周方向に組み付けられたピニオンシャフト組立体７が完成する。
【００２９】
続いて固定ピン１５ａ，１５ｂ，１５ｃ，１５ｄを第一デフケース２ａに設けられた固定ピン挿入孔２５ａ，２５ｂ，２５ｃ，２５ｄ及びピニオンシャフト３ａ，３ｂ，３ｃ，３ｄの固定ピン挿入孔１１ａ，１１ｂ，１１ｃ，１１ｄに挿入して、ピニオンシャフト３ａ，３ｂ，３ｃ，３ｄが第一デフケース２ａから抜けるのを防止する。
【００３０】
次にサイドギヤ用スラストワッシャー２０ｂが歯形の反対側に取り付けられた第二サイドギヤ１６ｂを４個のピニオンギヤ６ａ，６ｂ，６ｃ，６ｄの上に第二サイドギヤ１６ｂの歯形がピニオンギヤ側を向くように載置する。続いて第二デフケース２ｂを第二サイドギヤ１６ｂの上に載置する。最後に、図示しないリングギヤと第一デフケース２ａ、第二デフケース２ｂとを図示しないボルトによって固定し、デファレンシャル装置１が完成する。
【００３１】
上記デファレンシャル装置１の作動状態を説明すると、図示しない動力源（例えばエンジン）の駆動力は、トランスミッションを介してデフケース２のフランジ部２１に取り付けられた図示しないリングギヤに入力され、デフケース回転軸Ｘを中心にデフケース２が回転する。このときデフケース２に取り付けられたピニオンシャフト３ａ，３ｂ，３ｃ，３ｄもデフケース２と共にデフケース回転軸Ｘを中心に一体に回転するため、ピニオンシャフト３ａ，３ｂ，３ｃ，３ｄに軸支されるピニオンギヤ６ａ，６ｂ，６ｃ，６ｄ及びピニオンギヤ６ａ，６ｂ，６ｃ，６ｄに噛合する第一サイドギヤ１６ａと第二サイドギヤ１６ｂもデフケース回転軸Ｘを中心に回転する。これにより、第一サイドギヤ１６ａと第二サイドギヤ１６ｂの内周にスプライン係合された左右のドライブシャフト（図示せず）に駆動力が伝達され、ドライブシャフトはデフケース２と一体に回転する。また、左右のドライブシャフトに回転差が生じたときは、デフケース２の回転とは異なる回転力がドライブシャフト側から第一サイドギヤ１６ａ若しくは第二サイドギヤ１６ｂを通じ、ピニオンギヤ６ａ，６ｂ，６ｃ，６ｄに入力され、ピニオンギヤ６ａ，６ｂ，６ｃ，６ｄと第一サイドギヤ１６ａ及び第二サイドギヤ１６ｂがデフケース２と別途回転することにより左右のドライブシャフトの回転差を吸収する。
【００３２】
以上のように上記デファレンシャル装置１によれば、デフケース２内に配置される複数のピニオンシャフト３ａ，３ｂ，３ｃ，３ｄの先端が、デフケース２の回転軸Ｘと対向して組み付られるデファレンシャル装置１において、複数のピニオンシャフト３ａ，３ｂ，３ｃ，３ｄは、ピニオンシャフト３ａ，３ｂ，３ｃ，３ｄの軸線方向中央部が略円柱形状に形成される一方、ピニオンシャフト３ａ，３ｂ，３ｃ，３ｄの先端が先細り状に切り欠かれた２つの傾斜面８ａ，８ｂ，８ｃ，８ｄ，８ｅ，８ｆ，８ｇ，８ｈを有し、隣り合うピニオンシャフト３ａ，３ｂ，３ｃ，３ｄの傾斜面８ａ，８ｂ，８ｃ，８ｄ，８ｅ，８ｆ，８ｇ，８ｈを互いに当接させて、複数のピニオンシャフト３ａ，３ｂ，３ｃ，３ｄを円周方向に組み付けてピニオンシャフト組立体７を形成するため、ピニオンシャフト同士の先端側の接触部分が傾斜面８ａ，８ｂ，８ｃ，８ｄ，８ｅ，８ｆ，８ｇ，８ｈで面接触となる。これにより、接触部分が大きくなり、ピニオンシャフト同士の先端側の位置決めを従来よりも強く行なうことができる。
【００３３】
また、複数のピニオンシャフト３ａ，３ｂ，３ｃ，３ｄの各々傾斜面８ａ，８ｂ，８ｃ，８ｄ，８ｅ，８ｆ，８ｇ，８ｈは、各々ピニオンシャフト３ａ，３ｂ，３ｃ，３ｄの軸線Ｐ１，Ｐ２，Ｐ３，Ｐ４を中心に（３６０÷複数のピニオンシャフトの数÷２）で計算される角度に傾斜しているため、複数のピニオンシャフト３ａ，３ｂ，３ｃ，３ｄの先端が同形状となり、量産が可能である。このため、複数のピニオンシャフト３ａ，３ｂ，３ｃ，３ｄの先端加工のコストを削減することができる。
【００３４】
複数のピニオンシャフト３ａ，３ｂ，３ｃ，３ｄの先端に凹部９ａ，９ｂ，９ｃ，９ｄを形成すると共に、円周方向に組み付けた複数のピニオンシャフト３ａ，３ｂ，３ｃ，３ｄの凹部９ａ，９ｂ，９ｃ，９ｄにより形成される周状の凹連結部９に環状又は板状の位置決め部材４を嵌合するため、複数のピニオンシャフト同士の先端側の位置決めが容易にできる。
【００３５】
位置決め部材４は、ピニオンシャフト組立体７の内部に配置されているため、位置決め部材４をピニオンシャフト３ａ，３ｂ，３ｃ，３ｄの先端内部に保持することができる。これにより、ピニオンシャフト３ａ，３ｂ，３ｃ，３ｄに軸支されるピニオンギヤ６ａ，６ｂ，６ｃ，６ｄの耐久強度を上げるためピニオンギヤ６ａ，６ｂ，６ｃ，６ｄの全長を伸ばす場合に、ピニオンギヤ６ａ，６ｂ，６ｃ，６ｄの先端が位置決め部材４に当接することがなく、ピニオンギヤ６ａ，６ｂ，６ｃ，６ｄの設計の自由度を広げることができる。
【００３６】
位置決め部材４は、半径ｒの円形であり、凹連結部９は、位置決め部材４以上の大きさであるため、環状又は板状の位置決め部材４はピニオンシャフト３ａ，３ｂ，３ｃ，３ｄの凹部円周方向のどの位置でも嵌合可能である。よって、複数のピニオンシャフト３ａ，３ｂ，３ｃ，３ｄと位置決め部材４との嵌合が容易である。
【００３７】
ピニオンシャフト３ａ，３ｂ，３ｃ，３ｄの２つの傾斜面８ａ，８ｂ，８ｃ，８ｄ，８ｅ，８ｆ，８ｇ，８ｈが交差するピニオンシャフト３ａ，３ｂ，３ｃ，３ｄの先端が、切り欠かれた切り欠き面１２ａ，１２ｂ，１２ｃ，１２ｄを有するため、ピニオンシャフト３ａ，３ｂ，３ｃ，３ｄの先端が尖ることがなく、デファレンシャル装置の組み付け作業者に対して安全を確保できる。また、複数のピニオンシャフト３ａ，３ｂ，３ｃ，３ｄの円周方向への組み付けが終了した場合において、位置決め部材４が嵌合されているか否かを、切り欠き面１２ａ，１２ｂ，１２ｃ，１２ｄから確認することができる。
【００３８】
尚、本実施例では、２つのサイドギヤ１６ａ，１６ｂに歯合するピニオンギヤが４つである場合について説明したが、２つのサイドギヤ１６ａ，１６ｂに歯合するピニオンギヤを３つに変更する場合、５つに変更する場合等、デファレンシャル装置１に取り付けられるピニオンギヤの数を変更する場合にも適用可能である。ピニオンシャフトの数はピニオンギヤの数に対し、１対１の関係にあるので、前述の場合は、ピニオンシャフトの数は、３つ、或いは５つとなる。ピニオンシャフトの数が３つの場合は、ピニオンシャフトの先端に形成される２つの傾斜面は、３６０÷３÷２＝６０、すなわち、ピニオンシャフトの軸線Ｐを中心にピニオンシャフトの先端両角が６０度となる。また、ピニオンシャフトの数が５つの場合は、ピニオンシャフトの先端両角に形成される傾斜面は、３６０÷５÷２＝３６、すなわち、ピニオンシャフトの軸線Ｐを中心にピニオンシャフトの先端両角が３６度となる。
【００３９】
また、本実施例では、ピニオンシャフトの先端両角に形成される傾斜面８ａ，８ｂ，８ｃ，８ｄ，８ｅ，８ｆ，８ｇ，８ｈを各々ピニオンシャフト３ａ，３ｂ，３ｃ，３ｄの軸線Ｐ１，Ｐ２，Ｐ３，Ｐ４を中心に（３６０÷複数のピニオンシャフトの数÷２）で計算される角度に傾斜させているが、上記数式で求められる傾斜角度と異なる角度に傾斜させてもよい。例えば、ピニオンシャフト３ａ，３ｃの傾斜面８ａ，８ｂ，８ｅ，８ｆをピニオンシャフト３ａ，３ｃの軸線Ｐ１，Ｐ３を中心に５０度傾斜させ、ピニオンシャフト３ｂ，３ｄの傾斜面８ｃ，８ｄ，８ｇ，８ｈをピニオンシャフト３ｂ，３ｄの軸線Ｐ２，Ｐ４を中心に４０度等に傾斜させてもよい。
【００４０】
更に、本実施例では、周状の凹連結部９を正方形状にしているが、位置決め部材４と同じ円形状にしてもよい。位置決め部材４は、円形状の板部材を用いているが、図６に示すように環状の部材を用いてもよい。また、周状の凹連結部９を正方形にして、図７に示すように位置決め部材を正方形の板部材としてもよい。ピニオンシャフト３ａ，３ｂ，３ｃ，３ｄをピニオンシャフト３ａ，３ｃ，３ｂ，３ｄの順に組み付けているが、異なる順番に組み付けてもよい。デフケース２は、第一デフケース２ａと第二デフケース２ｂの２個に分割されていたが、一体で形成したり、３個以上に分割し形成しても良い。動力源としては、一例としてエンジンを例示しているが、モーターやその他の動力源でもよい。
【図面の簡単な説明】
【００４１】
【図１】本発明の実施例のデファレンシャル装置の部分断面正面図（図２のＡ−Ａ断面側面図）である。
【図２】本発明の実施例のデファレンシャル装置の断面側面図である。
【図３】本発明の実施例のデファレンシャル装置のピニオンシャフトをデフケースに挿入中である組み付け途中の図である。
【図４】本発明の実施例のピニオンシャフトを表し、図４の（Ａ）はピニオンシャフトの平面図、図４の（Ｂ）はピニオンシャフトの正面図、図４の（Ｃ）はピニオンシャフトの左側面図、図４の（Ｄ）はピニオンシャフトのである。
【図５】本発明の実施例の位置決め部材を表し、図５の（Ａ）は位置決め部材の平面図、図５の（Ｂ）は位置決め部材の正面図である。
【図６】本発明の第２の実施例の位置決め部材を表し、図６の（Ａ）は位置決め部材の平面図、図６の（Ｂ）は位置決め部材の正面図である。
【図７】本発明の第３の実施例の位置決め部材を表し、図７の（Ａ）は位置決め部材の平面図、図７の（Ｂ）は位置決め部材の正面図である。
【符号の説明】
【００４２】
１    デファレンシャル装置
２    デフケース
３ａ，３ｂ，３ｃ，３ｄ    ピニオンシャフト
４    位置決め部材
７    ピニオンシャフト組立体
８ａ，８ｂ，８ｃ，８ｄ，８ｅ，８ｆ，８ｇ，８ｈ    傾斜面
９ａ，９ｂ，９ｃ，９ｄ    凹部
９    凹連結部
１２ａ，１２ｂ，１２ｃ，１２ｄ    切り欠き面
１３ａ，１３ｂ，１３ｃ，１３ｄ    凹部の底部
Ｐ１，Ｐ２，Ｐ３，Ｐ４    ピニオンシャフトの軸線
Ｋ１，Ｋ２，Ｋ３，Ｋ４    ２つの傾斜面の交線
【図１】
2007205420.tif 000003
【図２】
2007205420.tif 000004
【図３】
2007205420.tif 000005
【図４】
2007205420.tif 000006
【図５】
2007205420.tif 000007
【図６】
2007205420.tif 000008
【図７】
2007205420.tif 000009